(57)【特許請求の範囲】
【請求項１】
下方が開放された外部ケースに乾燥させる物品を収容する昇降棚を昇降自在に設け、外部ケースの内部の上部に減速機構部を備えた駆動部を配設し、外部ケースに前記駆動部によって正逆駆動回転自在となる巻取りドラムを設け、該巻取りドラムに係着した昇降索を昇降棚に連係して昇降索の巻取り及び繰出しによって昇降棚を昇降させる昇降乾燥装置であって、昇降索の先端を外部ケースに係着すると共に該昇降索の途中に昇降棚に設けた滑車を係着して、該滑車を動滑車として動作させることを特徴とする昇降乾燥装置。
【請求項２】
昇降索の先端をばねにて吊下げ保持し、先端の一定以上の上昇を検知するたるみ検知手段を設けて成ることを特徴とする請求項１記載の昇降乾燥装置。
【請求項３】
昇降索の先端をばねにて吊下げ保持し、先端の一定以上の下降を検知する過負荷検知手段を設けて成ることを特徴とする請求項１記載の昇降乾燥装置。
【発明の詳細な説明】
【０００１】
【発明の属する技術分野】
本発明は、主として、食器乾燥器として使用される昇降乾燥装置に関し、詳しくは、昇降棚を昇降索にて昇降させる際に、駆動部における減速機構を簡素化しようとする技術に係るものである。
【０００２】
【従来の技術】
従来、下方が開放された外部ケースに乾燥させる物品を収容する昇降棚を昇降自在に設け、外部ケース側に巻取りドラムを駆動部によって正逆駆動回転自在に設け、巻取りドラムに係着した昇降索を昇降棚に連係して昇降索の巻取り及び繰出しによって昇降棚を昇降させる昇降乾燥装置においては、昇降棚の昇降速度は、巻取りドラムによる昇降索の巻取り及び繰出し速度と同じになるものである。
【０００３】
【発明が解決しようとする課題】
ところで、このように巻取りドラムによる昇降索の昇降速度を昇降棚の昇降速度に一致させる構成においては、昇降棚の昇降速度を略一定に設置する場合に、巻取りドラムの駆動部における減速機構が複雑化するものである。
【０００４】
本発明はこのような問題に鑑みてなされたものであり、簡単な改良により昇降棚の昇降速度を１／２に減速することができ、昇降棚の昇降速度を所定の速度にする場合に、減速機構を簡素化することができる昇降乾燥装置を提供することを課題とするものである。
【０００５】
【課題を解決するための手段】
請求項１においては、下方が開放された外部ケース１に乾燥させる物品を収容する昇降棚２を昇降自在に設け、外部ケース１の内部の上部に減速機構部を備えた駆動部１３を配設し、外部ケース１に前記駆動部１３によって正逆駆動回転自在となる巻取りドラム１１を設け、該巻取りドラム１１に係着した昇降索２７を昇降棚２に連係して昇降索２７の巻取り及び繰出しによって昇降棚２を昇降させる昇降乾燥装置であって、昇降索２７の先端を外部ケース１に係着すると共に該昇降索２７の途中に昇降棚２に設けた滑車４２を係着して、該滑車４２を動滑車として動作させることを特徴とするものである。
【０００６】
このような構成によれば、昇降棚２に設けた滑車４２を動滑車にして、昇降索２７の昇降速度の１／２の速度で昇降棚２を昇降させることができるのであり、したがって、昇降棚２の昇降速度を所定の速度に設定する際に、駆動部１２における減速機構部の構成を簡素化することができる。また昇降棚２の吊下げ負荷を１／２にできる。
【０００７】
請求項２においては、昇降索２７の先端４３をばね４４にて吊下げ保持し、先端４３の一定以上の上昇を検知するたるみ検知手段４５を設けてあることを特徴とするものである。このような構成によれば、昇降棚２の昇降時において、昇降棚２が他物に衝突したり、詰まりが生じた場合には昇降索２７の先端４３がばね４４にて引上げられてたるみ検知をおこなうことができ、このようなたるみ検知によって異常を検知することができ、例えば、駆動部１２の駆動を停止するなどの安全処置をとることができ、しかも、昇降棚２の滑車４２を動滑車として吊下げ負荷が１／２となることから、負荷の小さいたるみ検知手段４５が構成できるという利点がある。
【０００８】
請求項３においては、昇降索２７の先端４３をばね４４にて吊下げ保持し、先端４３の一定以上の下降を検知する過負荷検知手段４７を設けてあることを特徴とするものである。このような構成によれば、昇降棚２に食器等を多く装填させた場合で、昇降棚２が一定以上に重くなった過負荷の状態を検知することができ、例えば、駆動部１２の駆動を停止するなどの安全処置をとることができる。
【０００９】
【発明の実施の形態】
以下、本発明の実施の形態を説明する。図１は概略正断面図、図２は概略底面図、図３は概略平断面図、図４は昇降棚の下降状態の概略側断面図である。
【００１０】
昇降乾燥装置Ａは食器乾燥装置であり、天袋の一部を構成するもので、例えば、調理部と食堂とを仕切る天袋の一部として設置され、その下方にはカウンター(図示せず)が配設される。以下、詳述する。
【００１１】
外部ケース１は下方が開放された箱型に形成され、開くことができない擬似扉２５を備え、このような外部ケース１の内部の上部にはファン７とヒータ８を備えた温風供給部９が設置され、更に、滑車１０と巻取りドラム１１と駆動モータ１２と減速機構部を備えた駆動部１３が設置され、カバー１４にて囲繞されて湿気等入らないように気密が保たれている。カバー１４には吹出し口１５を貫通させている。ところで、ファン７はヒータ８とは独立して駆動できるようになっていて、ヒータ８を駆動させる温風供給、又は、ヒータ８を停止した送（冷）風供給を可能にしていて、食器の温風乾燥、又は送（冷）風による乾燥及び冷却を図るようにしている。このような切換え操作は、操作盤における操作によっておこなわれるようにしている。
【００１２】
駆動部１３からの一対の昇降索２７，２７に昇降棚２を係着していて、駆動モータ１２によって減速機構部を介して昇降棚２を昇降することができるようにしている。
【００１３】
昇降棚２は天板１６と水受け４との間に、例えば、カラー塗装して錆び止めを図った金属線材１７を複数本架設して、略かご状にしたものであり、金属線材１７，１７間に皿を挿入して保持したり、又、ちゃわんのような容器状の食器を内部に収容できるようにしている。
【００１４】
外部ケース１の短い側板１８側に沿って吸気ダクト１９が付設され、吸気口２０が外部ケース１の下端に形成されている。吸気口２０には吸気フィルター２１が着脱自在に取付けられている。
【００１５】
昇降棚２の水受け４はパン状に形成され、ビス２２にて止められ、ビス２２を外すことで取外すことができるようにしている。水受け４には水勾配が形成され、水勾配の最も低い部分に排水口を形成している。
【００１６】
このように、外部ケース１の内方上部に温風供給部９を設け、外部ケース１の内方側部で温風供給部９から下端に至る吸気ダクト１９を設けるとともに吸気ダクト１９の先端部の吸気口２０に吸気フィルター２１を着脱自在に設けることによって、吸気口２０及び吸気フィルター２１の保守点検を椅子等を設置することなく、楽におこなえるのである。
【００１７】
更に、吸気口２０とは反対側部分、つまり、吸気ダクト１９が付設された側板１８とは反対側の側板の近傍に排気口２６を設けていて排気口２６から排出された排気を吸気口２０から吸気することを低減して、湿った空気が循環するのを防止するができて乾燥効率を高めることができるのである。
【００１８】
又、温風供給部９は、ファン７とヒータ８とを備え、ヒータ８を作動させない状態で送風をおこなう手段を備えていることから、送風のみをおこなうことができて、送風状態で時間がたてばヒータ８を使用しなくても充分に乾燥することができ、ヒータ８を使用しないで省エネを図ることができるのである。更に、送風をおこなうことから、昇降棚２の乾燥をおこなうことができるとともに昇降乾燥装置の換気を図ることができ、非使用状態で放置された場合に、内部における結露を防止することができるのである。しかも、このように乾燥を充分におこなえるので、例えば、食器乾燥機としてだけでなく、シンク上において水切り収納棚としても使用することができるのである。又、夏場等で暑い日に、高温排気が排出されることが気になる場合、送風状態にしておけば、熱い風を受けることなく作業ができてよい。この場合、その場を離れる時にヒータ８を作動させる温風乾燥状態に切換える。更には、乾燥終了後に、送風状態にしておくと、冷えた飲食物を使用するグラスのような器を冷却することができてよい。
【００１９】
以上の構成において本発明は以下のように構成したものである。
【００２０】
外部ケース１に先端を係着した昇降索２７としてのベルト５２の途中を昇降棚２に設けた滑車４２に係着したものである。以下、詳述する。
【００２１】
図１に示すように、昇降棚２の上端部に取付けられているチャンネル状の上フレーム６０に動滑車となる滑車４２が取付けられている。図６に示すように、ベルト５２の先端４３にはピン６２が取付けられ、ピン６２は外部ケース１に取付けた金具５３に形成した長孔５４に昇降自在に挿通されて保持されている。金具５３にはコイル状のばね４４が吊下げ保持され、ばね４４の下端部のフック５５がピン６２に係合されてばね４４にてベルト５２の先端４３を吊下げ保持している。このようなベルト５２の途中が昇降棚２の滑車４２に係着され、ベルト５２の他端部が巻取りドラム１１に係着されている。
【００２２】
更に、長孔５４の上端部にピン５０が上昇したときに動作されるたるみ検知手段４５としてのスイッチＳ1が設けられ、又、ピン６０が下降したときに動作される過負荷検知手段４７としてのスイッチＳ2が設けられている。これらいずれかのスイッチＳ1，Ｓ2が投入されることで、駆動モータ１２を停止させるようにしている。
【００２３】
このように、外部ケース１に先端４３を係着した昇降索２７としてのベルト５２の途中を昇降棚２に設けた滑車４２に係着することで、昇降棚２に設けた滑車４２を動滑車にできるのであり、昇降索２７の昇降速度の１／２の速度で昇降棚２を昇降させることができるのであり、したがって、昇降棚２の昇降速度を所定の速度に設定する際に、駆動部１３における減速機構部の構成を簡素化することができるのである。
【００２４】
更に、昇降棚２の昇降時において、昇降棚２が他物に衝突したり、詰まりが生じた場合にはベルト５２の先端４３のピン６２がばね４４にて引上げられてスイッチＳ1を投入してたるみ検知をおこなうのであり、このようなたるみ検知によって異常を検知することができ、駆動モータ１２の駆動を停止させて安全を図るのである。ところで、昇降棚２の滑車４２を動滑車として吊下げ負荷が１／２となることから、負荷の小さいたるみ検知手段４５が構成できるものである。
【００２５】
又、昇降棚２に食器等を多く装填させた場合等で、昇降棚２が一定以上に重くなった過負荷の状態の場合には、ベルト５２の先端４３のピン６２が下降してスイッチＳ2を投入して過負荷状態を検知するのであり、このような過負荷状態を検知することで、駆動モータ１２の駆動を停止するなどの安全処置をとることができるのである。
【００２６】
ところで、図９及び図１０に示すように、外部ケース１には両面にガイド面を備えたレール４８を上下全長に付設している。昇降棚２の上フレーム６０には連結金具を介して断面コ字状のブラケット６１が取付けられ、ブラケット６１の背面にはレール４８の両ガイド面に摺接する左右一対のローラ４９，４９が上下２箇所に設けている。
【００２７】
しかして、レール４８の両面のガイド面にローラ４９，４９が摺接してローリングを生じさせることなく昇降棚２を安定的に昇降させることができ、かつ、相互に摺接するスライドレール構成に比べて廉価になるものである。
【００２８】
図１１及び図１２は巻取りドラム１１と２本のベルト５２，５２との連結構造を示している。
【００２９】
巻取りドラム１１は樹脂成形品製であり、駆動モータ１２の回転数を減速機構部において減速回転させる出力軸が巻取りドラム１１の取付け孔５６に取付けられて回転駆動されるものである。巻取りドラム１１の取付け孔５６を中心に対して対称となる２箇所に貫通孔５７，５７を形成し、貫通孔５７，５７にピン５０，５０をドラム中心軸に略平行に取付けるようにしている。
【００３０】
巻取りドラム１１には仕切り壁５８を形成していて、ドラム中心軸の方向に位置をずらせて２箇所に巻取り溝５１，５１を形成している。各巻取り溝５１に巻取られるベルト５２の先端部を折り返して縫い込み５９によって輪にしている。
【００３１】
しかして、巻取りドラム１にピン５０，５０を挿通してベルト５２の先端部の輪の部分に挿通することで、一つの巻取りドラム１１に２本のベルト５２を容易に係着することができ、組立てが容易となるとともに巻取りドラム１１の構成を簡素化することができるものである。更に、ベルト５２は先端部は縫い込み５９によって輪にしてピン５０に挿通していて、ベルト５２を巻取りドラム１１に円滑に巻くことができ、ベルト５２の巻き精度を向上させて昇降棚２の昇降ストロークの精度を向上させることができ、かつ、ベルト５２とピン５０との締結強度を高めて、信頼性を高めることができるものである。
【００３２】
【発明の効果】
請求項１においては、下方が開放された外部ケースに乾燥させる物品を収容する昇降棚を昇降自在に設け、外部ケースの内部の上部に減速機構部を備えた駆動部を配設し、外部ケースに前記駆動部によって正逆駆動回転自在となる巻取りドラムを設け、該巻取りドラムに係着した昇降索を昇降棚に連係して昇降索の巻取り及び繰出しによって昇降棚を昇降させる昇降乾燥装置であって、昇降索の先端を外部ケースに係着すると共に該昇降索の途中に昇降棚に設けた滑車を係着して、該滑車を動滑車として動作させることで、昇降索の昇降速度の１／２の速度で昇降棚を昇降させることができるのであり、したがって、昇降棚の昇降速度を所定の速度に設定する際に、駆動部における減速機構部の構成を簡素化することができるという利点がある。また昇降棚の吊下げ負荷を１／２にできる。
【００３３】
請求項２においては、昇降索の先端をばねにて吊下げ保持し、先端の一定以上の上昇を検知するたるみ検知手段を設けてあるから、請求項１の効果に加えて、昇降棚の昇降時において、昇降棚が他物に衝突したり、詰まりが生じた場合には昇降索の先端がばねにて引上げられてたるみ検知をおこなうことができ、このようなたるみ検知によって異常を検知することができ、例えば、駆動部の駆動を停止するなどの安全処置をとることができ、しかも、昇降棚の滑車を動滑車として吊下げ負荷が１／２となることから、負荷の小さいたるみ検知手段が構成できるという利点がある。
【００３４】
請求項３においては、昇降索の先端をばねにて吊下げ保持し、先端の一定以上の下降を検知する過負荷検知手段を設けてあるから、請求項１の効果に加えて、昇降棚に食器等を多く装填させた場合で、昇降棚が一定以上に重くなった過負荷の状態を検知することができ、例えば、駆動部の駆動を停止するなどの安全処置をとることができるという利点がある。
【図面の簡単な説明】
【図１】本発明の実施の一形態の昇降棚の上昇状態の概略正断面図である。
【図２】同上の概略底面図である。
【図３】同上の概略平断面図である。
【図４】同上の昇降棚の下降状態の概略断面図である。
【図５】同上の昇降棚の上昇状態の概略断面図である。
【図６】（ａ）は同上のベルトの先端部のピンとスイッチの関係を示し、正常状態の正面図、（ｂ）は側面図である。
【図７】（ａ）は同上のベルトの先端部のピンとスイッチの関係を示し、たるみ検知状態の正面図、（ｂ）は側面図である。
【図８】（ａ）は同上のベルトの先端部のピンとスイッチの関係を示し、過負荷検知状態の正面図、（ｂ）は側面図である。
【図９】同上のレールとローラとの関係を示す平断面図である。
【図１０】（ａ）は同上の部分側面図、（ｂ）は部分正面図である。
【図１１】（ａ）は同上の巻取りドラムとベルトとの関係を示す断面図、（ｂ）は正面図である。
【図１２】（ａ）は同上の巻取りドラムの断面図、（ｂ）は平面図、（ｃ）は正面図である。
【符号の説明】
１  外部ケース
２  昇降棚
１１  巻取りドラム
１３  駆動部
２７  昇降索
４２  滑車
４３  昇降索の先端
４４  ばね
４５  たるみ検知手段
４７  過負荷検知手段
４８  レール
４９  ローラ
５０  ピン
５１  巻取り溝
５２  ベルト
【図１】
0003578022.tif 000002
【図２】
0003578022.tif 000003
【図３】
0003578022.tif 000004
【図４】
0003578022.tif 000005
【図５】
0003578022.tif 000006
【図６】
0003578022.tif 000007
【図７】
0003578022.tif 000008
【図８】
0003578022.tif 000009
【図９】
0003578022.tif 000010
【図１０】
0003578022.tif 000011
【図１１】
0003578022.tif 000012
【図１２】
0003578022.tif 000013